(57)【特許請求の範囲】
【請求項１】
カム溝を有するハウジング内に収納され、カード挿抜方向に沿って移動自在としたスライド部材と、一端部を前記スライド部材に支持して他端部は前記カム溝内を前記スライド部材の動きに合わせて移動させるコ字状のピン部材とを備えるカードコネクタにおいて、前記スライド部材が前記ピン部材の支持部を有し、この支持部が段差を設けて、下段側に前記ピン部材の一端部が上方から挿入される孔部を形成し、段差面には前記孔部を真上から見たとき下側の前記孔部の径内に突出されるピン抜け止め部を形成することを特徴とするカードコネクタ。
【請求項２】
前記支持部が上段側の側面によって前記ハウジング内に挿入されたカードを受け止めることを特徴とする請求項１に記載のカードコネクタ。
【請求項３】
前記孔部が奥側に向かって孔径を漸次拡径するテーパ孔でなることを特徴とする請求項１又は請求項２に記載のカードコネクタ。
【請求項４】
前記孔部が前記ピン抜け止め部の突出方向に拡径されたピン挿入口を設けることを特徴とする請求項１乃至請求項３の何れか１項に記載のカードコネクタ。
【請求項５】
前記ピン部材はコ字状に曲げた金属線材からなり、前記孔部に挿入される一端部と、前記カム溝内に挿入される他端部と、前記一端部と前記他端部を平行に繋ぐ中間部を有し、前記中間部に対する前記一端部と前記他端部の曲げ角度が直角より大きい角度になるよう、前記中間部を曲げたことを特徴とする請求項１乃至請求項４の何れか１項に記載のカードコネクタ。
【請求項６】
前記ハウジング内に挿入されたカードと前記スライド部材をカード挿抜方向で係合させる係合部材を備え、この係合部材が、厚み方向をカード挿抜方向と直交するカード幅方向に一致させてカード挿抜方向に延設したバネ部と、このバネ部の一端側に形成され、前記カードの一側部に設けられた切り欠き部に離脱自在に係合させる係合部と、前記バネ部の他端側に連設された被保持部を設け、この被保持部の一側縁に切り欠き部を形成し、前記スライド部材が前記係合部材の保持部を有し、この保持部が前記被保持部を挿入自在とし、かつ、一端側から前記バネ部を突出自在としたスリット状の保持溝を設け、この保持溝内に溝底から突出し、前記切り欠き部に嵌合させる突部を形成することを特徴とする請求項１乃至請求項５の何れか１項に記載のカードコネクタ。
【請求項７】
前記被保持部が支点部を有し、この支点部が、前記被保持部の先端部と、この先端部の端縁と前記切り欠き部を形成した一側縁を円弧状に繋ぐ摺接部を設け、前記保持溝が受け部を有し、この受け部が、前記突部より奥側に延設される前記保持溝の一部と、この保持溝の一部の上部に形成される押さえ部を設け、前記支点部を前記受け部に斜めに挿入し、前記摺接部を前記受け部の溝底に接触させた状態で、前記支点部を支点に前記係合部材を前記スライド部材方向に回動させることにより、前記保持溝内に前記被保持部を挿入しながら前記突部に前記被保持部の前記切り欠き部を嵌合させることを特徴とする請求項６に記載のカードコネクタ。
【請求項８】
前記ハウジングは、複数のコンタクトが設けられた絶縁性のボディと、金属板のプレス成形品であって、前記ボディに被着されるカバーを備え、一側面にカード挿入口を開口し、カードを前記カード挿入口を通して挿抜自在とした箱状に形成され、前記カバーが、前記カードの挿入ガイド部を有し、この挿入ガイド部は、前記カバーの側縁から折り曲げで前記スライド部材に近い側の前記カード挿入口の一側に垂下される第１折り曲げ片と、この第１折り曲げ片の前記カード挿入口側の一側縁から折り曲げでカード挿入方向に沿って前記ハウジング内に延設される第２折り曲げ片を設け、この第２折り曲げ片の基端側曲げ部によって前記カードを前記カード挿入口内に案内する金属製で円弧状の挿入ガイド面を形成し、前記第２折り曲げ片の先端部によって前記カードをハウジング内に案内する金属製で直線状の挿入ガイド面を形成することを特徴とする請求項１乃至請求項７の何れか１項に記載のカードコネクタ。
【発明の詳細な説明】
【技術分野】
【０００１】
本発明は、メモリカード等のカードを携帯電話機、デジタルカメラ、携帯型オーディオＰＤＡ等の電子機器に接続するためのカードコネクタに関する。
【背景技術】
【０００２】
従来、カードを所定位置まで押し込んだ後に押し込み力を解除することにより、カードを装着位置に保持し、再度カードを所定位置まで押し込んだ後に押し込み力を解除することにより、カードを排出する所謂プッシュ（イン）／プッシュ（アウト）方式のカード排出機構を備えたカードコネクタが知られている。
【０００３】
このカードコネクタは、複数のコンタクトが設けられた絶縁性のボディと、金属板のプレス成形品であって、前記ボディに被着されるカバーとで構成され、一側面にカード挿入口を開口し、カードを前記カード挿入口を通して挿抜自在とした箱状のハウジングを備え、このハウジング内の一側部にカード排出機構が組み込まれる。カード排出機構は、前記ハウジング内の一側部にカード挿抜方向に沿って移動自在に収納され、コイルバネによりカード排出方向に付勢され、前記ハウジング内に挿入されたカードによりカード挿入方向に押し込まれるスライド部材と、このスライド部材に保持され、前記ハウジング内に挿入されたカードと前記スライド部材をカード挿抜方向で係合させる板バネ製の係合部材と、前記ボディに形成されたハート状のカム溝と、一端部を前記スライド部材に支持して他端部は前記カム溝内を前記スライド部材の動きに合わせて移動させるコ字状のピン部材から構成される。カードをハウジング内へ挿入すると、スライド部材が係合部材を介してカードに係合した後、カードによって所定位置まで押し込まれ、この後、カードによる押し込み力を解除することにより、ピン部材の他端部がカム溝に設けられた係止部に係止した時に元に戻らなくなり、カードが装着位置に保持される。再度スライド部材がカードによって所定位置まで押し込まれると、ピン部材の他端部がカム溝の係止部から外されて元に復帰可能となり、カードの押し込み力を解除することにより、カードが排出される。
【０００４】
このカード排出機構では、スライド部材に保持される係合部材にピン部材の抜け止め手段が設けられる（例えば特許文献１参照）。
【特許文献１】特許第３７１３４２８号公報
【発明の開示】
【発明が解決しようとする課題】
【０００５】
カードコネクタの組み立てにあたり、ピン部材の抜け止め手段が係合部材では、スライド部材に係合部材を組み付けるまではピン部材がスライド部材から抜け落ちてしまうため、ピン部材の一端部をスライド部材に挿入した後、ピン部材を他の抜け止め手段で抜け止めし、その状態でスライド部材に係合部材を組み付けるという困難な組み立て作業を強いられ、生産性の低下を招き問題であった。
【０００６】
本発明は、上記のような問題に鑑みてなされたもので、その目的は、組み立て時にピン部材がスライド部材から抜け落ち難く、生産性の向上を図ることができるカードコネクタを提供することにある。
【０００７】
また、係合部材をスライド部材に簡単に組み付けることができて生産性の向上を図りながら、係合部材をスライド部材に確実に保持させることができるカードコネクタを提供することにある。
【課題を解決するための手段】
【０００８】
上述の目的を達成するために、請求項１に記載の発明は、カム溝を有するハウジング内に収納され、カード挿抜方向に沿って移動自在としたスライド部材と、一端部を前記スライド部材に支持して他端部は前記カム溝内を前記スライド部材の動きに合わせて移動させるコ字状のピン部材とを備えるカードコネクタにおいて、前記スライド部材が前記ピン部材の支持部を有し、この支持部が段差を設けて、下段側に前記ピン部材の一端部が上方から挿入される孔部を形成し、段差面には前記孔部を真上から見たとき下側の前記孔部の径内に突出されるピン抜け止め部を形成することを特徴とする。
【０００９】
このように構成した請求項１に記載の発明では、ピン部材の一端部を孔部に挿入する際に若干圧入が必要になり、ピン部材の一端部が孔部に挿入された時点でピン抜け止め部が抜け方向の動きを規制するので、ピン部材がスライド部材から抜け落ち難くなり、以降の組み立て作業が行い易く、カードコネクタの生産性が向上する。
【００１０】
請求項２に記載の発明は、請求項１に記載の発明に、前記支持部が上段側の側面によって前記ハウジング内に挿入されたカードを受け止める構成が付加されたものである。
【００１１】
このような付加構成により、スライド部材の支持部に生じる荷重（ピン部材の移動抵抗）をカードによって受け止めるので、支持部の耐久性を向上させることができる。また、支持部の必要強度を下げることができ、支持部をより小形に形成して、カードコネクタの小型化に貢献することができる。
【００１２】
請求項３に記載の発明は、請求項１又は請求項２に記載の発明に、前記孔部が奥側に向かって孔径を漸次拡径するテーパ孔でなる構成が付加されたものである。
【００１３】
請求項４に記載の発明は、請求項１乃至請求項３の何れか１項に記載の発明に、前記孔部が前記ピン抜け止め部の突出方向に拡径されたピン挿入口を設ける構成が付加されたものである。
【００１４】
請求項３や請求項４に記載の付加構成により、ピン部材の一端部をピン抜け止め部の突出方向に傾けた状態で孔部に挿入することができるので、挿入時にピン部材の一端部でピン抜け止め部を押し潰し、抜け止め機能を低下させたり、消失させるのを防止することができる。また、ピン抜け止め部の突出量をより大きくして、より高い抜け止め性能を得ることができるようになる。
【００１５】
請求項５に記載の発明は、請求項１乃至請求項４の何れか１項に記載の発明に、前記ピン部材はコ字状に曲げた金属線材からなり、前記孔部に挿入される一端部と、前記カム溝内に挿入される他端部と、前記一端部と前記他端部を平行に繋ぐ中間部を有し、前記中間部に対する前記一端部と前記他端部の曲げ角度が直角より大きい角度になるよう、前記中間部を曲げた構成が付加されたものである。
【００１６】
このような付加構成により、中間部が一直線状で、この中間部に対する一端部と他端部の曲げ角度が直角になるピン部材に比べ、中間部に対する一端部と他端部の曲げ角度が大きくなり、また、中間部と一端部の間の曲り部の曲率も大きくなってピン抜け止め部を同じ突出量で孔部からより離反した位置に設けることもできるので、ピン部材の一端部が孔部により挿入し易くなる。このため、ピン抜け止め部の抜け止め機能の低下や消失をより確実に防止することができる。また、ピン抜け止め部の突出量をより大きくして、より高い抜け止め性能を得ることができる。
【００１７】
請求項６に記載の発明は、請求項１乃至請求項５の何れか１項に記載の発明に、前記ハウジング内に挿入されたカードと前記スライド部材をカード挿抜方向で係合させる係合部材を備え、この係合部材が、厚み方向をカード挿抜方向と直交するカード幅方向に一致させてカード挿抜方向に延設したバネ部と、このバネ部の一端側に形成され、前記カードの一側部に設けられた切り欠き部に離脱自在に係合させる係合部と、前記バネ部の他端側に連設された被保持部を設け、この被保持部の一側縁に切り欠き部を形成し、前記スライド部材が前記係合部材の保持部を有し、この保持部が前記被保持部を挿入自在とし、かつ、一端側から前記バネ部を突出自在としたスリット状の保持溝を設け、この保持溝内に溝底から突出し、前記切り欠き部に嵌合させる突部を形成する構成が付加されたものである。
【００１８】
このような付加構成により、係合部材の被保持部をスライド部材の保持部に固定するにあたり、被保持部の折り曲げで行う必要がなく、被保持部の形状が立体化しないので、スライド部材をより小形に形成して、カードコネクタの小型化に貢献することができる。また、平板状の被保持部をスリット状の保持溝に挿入する簡単な作業で、係合部材をスライド部材に組み付けることができ、カードコネクタの生産性を向上させることができる。しかも、簡単な組み付け作業で係合部材をスライド部材に確実に固定することができる。
【００１９】
請求項７に記載の発明は、請求項６に記載の発明に、前記被保持部が支点部を有し、この支点部が、前記被保持部の先端部と、この先端部の端縁と前記切り欠き部を形成した一側縁を円弧状に繋ぐ摺接部を設け、前記保持溝が受け部を有し、この受け部が、前記突部より奥側に延設される前記保持溝の一部と、この保持溝の一部の上部に形成される押さえ部を設け、前記支点部を前記受け部に斜めに挿入し、前記摺接部を前記受け部の溝底に接触させた状態で、前記支点部を支点に前記係合部材を前記スライド部材方向に回動させることにより、前記保持溝内に前記被保持部を挿入しながら前記突部に前記被保持部の前記切り欠き部を嵌合させる構成が付加されたものである。
【００２０】
このような付加構成により、係合部材を支点部を支点にスライド部材方向に回動させるというより簡単な作業でスライド部材に組み付けることができ、カードコネクタの生産性をより向上させることができる。
【００２１】
請求項８に記載の発明は、請求項１乃至請求項７の何れか１項に記載の発明に、前記ハウジングは、複数のコンタクトが設けられた絶縁性のボディと、金属板のプレス成形品であって、前記ボディに被着されるカバーを備え、一側面にカード挿入口を開口し、カードを前記カード挿入口を通して挿抜自在とした箱状に形成され、前記カバーが、前記カードの挿入ガイド部を有し、この挿入ガイド部は、前記カバーの側縁から折り曲げで前記スライド部材に近い側の前記カード挿入口の一側に垂下される第１折り曲げ片と、この第１折り曲げ片の前記カード挿入口側の一側縁から折り曲げでカード挿入方向に沿って前記ハウジング内に延設される第２折り曲げ片を設け、この第２折り曲げ片の基端側曲げ部によって前記カードを前記カード挿入口内に案内する金属製で円弧状の挿入ガイド面を形成し、前記第２折り曲げ片の先端部によって前記カードをハウジング内に案内する金属製で直線状の挿入ガイド面を形成する構成が付加されたものである。
【００２２】
このような付加構成により、各挿入ガイド面をボディの一部で形成する場合に比べ、その一部の厚み（樹脂肉厚）を薄くすることができ、カードコネクタの小型化に貢献することができる。
【発明の効果】
【００２３】
以上のように本発明によれば、カードコネクタの組み立て時にピン部材がスライド部材から抜け落ち難く、生産性の向上を図ることができる。
【００２４】
また、係合部材をスライド部材に簡単に組み付けることができて生産性の向上を図りながら、係合部材をスライド部材に確実に保持させることができる。
【発明を実施するための最良の形態】
【００２５】
以下、本発明に係るカードコネクタの一実施の形態を図面に基づいて詳述する。図１は本実施形態に装着されるカードを示す平面図である。このカードＣは外形が略矩形平板状のメモリカードであり、本実施形態へは矢印ａ方向に挿入される。このカードＣの挿入方向前側の一側部には誤挿入防止用の角落とし部Ｃ１が設けられ、挿入方向前側の一表面には複数（図では８本）の外部接続端子Ｃ２が挿入方向と直交するカード幅方向に一定のピッチで並設される。また、角落とし部Ｃ１の後側には後述する本実施形態のスライド部材を係合させるための切り欠き部Ｃ３が設けられる。角落とし部Ｃ１と切り欠き部Ｃ３によってカードＣの一側部に段差が形成されるが、角落とし部Ｃ１によって形成される段差Ｃ４には挿入方向に対して後退角が付けられる。切り欠き部Ｃ３によって形成される２の段差のうち挿入方向後側の段差Ｃ５にも挿入方向に対して後退角が付けられる。
【００２６】
図２は本実施形態の構成部品を示す分解状態の斜視図、図３は本実施形態のボディを示す平面図、図４は本実施形態の内部構造を示す平面図、図５は図４の右半部を拡大して示す平面図、図６は本実施形態の外観を示す斜視図である。本実施形態は、金属板のプレス成形品で導電性を有して電子機器とカードＣとを電気的に接続する複数（図では８本）のコンタクト１を固定した樹脂成形品で絶縁性を有するボディ１０と、このボディ１０内の一側（図では右側）に組み付けられ、所謂プッシュ（イン）／プッシュ（アウト）方式のカード排出機構３０を構成するスライド部材４０、コイルバネ５０、係合部材である板バネ６０、ハート状のカム溝７０、ピン部材であるコ字状のフックピン８０と、コンタクト１及びカード排出機構３０を内蔵するハウジング９０をボディ１０とで構成する金属板のプレス成形品で導電性を有するカバー１００とで構成される。
【００２７】
ボディ１０は、矩形状の底板１１と、この底板１１の前側縁の右端部，左右側縁，後側縁から立ち上げる前側壁１２，左右側壁１３，後側壁１４を一体に形成し、左側壁１２の前端部と前側壁１２の左側端部間の開口によってカード挿入口１５が形成される。このカード挿入口１５にはカードＣは、図４に示すように、外部接続端子Ｃ２が設けられた表面を下にし、角落とし部Ｃ１が設けられた一端部から挿入される。また、前側壁１２を立ち上げていない底板１１の前端縁に切り欠き部１６を設けると共に、この切り欠き部１６の後側に所定の間隔をおいて抜き孔１７を設け、切り欠き部１６と抜き孔１７間に残された底板１１の一部によって横長な矩形状のコンタクト固定部１８が形成される。さらに、コンタクト固定部１８より右側にある底板１１の内表面の後部にはカム溝７０が設けられ、スライド部材６０をカード挿抜方向に沿って前後方向に移動案内する浅いガイド溝１９を、コンタクト固定部１８より右側にある底板１１の内表面の前端から後端にわたってカム溝７０を避けて設けると共に、コイルバネ５０の後端部を保持する円筒状の後ボス部２０を、後側壁１４の内面右端部から前方に突出して設ける。左右側壁１３にはカバー１００を係合させるための複数の係合爪２１を左右外方に突出して設ける。前側壁１２の略左半部外面にはこの部分の厚みをカバー１００の略板厚分薄くする切り欠き部２２が設けられる。
【００２８】
カム溝７０は前側に起点部７１を設け、後側に係止部７３を設けて、起点部７１と係止部７３が往路７２と復路７４で繋がれる。
【００２９】
複数のコンタクト１は、ボディ１０のコンタクト固定部１８に左右方向（カード幅方向）に一定のピッチで並べられて固定される。各コンタクト１は、コンタクト固定部１８に埋設固定されてカード挿抜方向に沿って前後方向に延設される被固定部２と、この被固定部２から後上がり傾斜状に後方に延設されて抜き孔１７の上側でボディ１０内に突出される上下方向（カード厚み方向）に弾性変位自在な片持ち梁状のバネ部３と、このバネ部３の先端部（自由端部）に設けられる下面が凹、上面が凸になる円弧状の接点部４と、被固定部２から前方に延設されて切り欠き部１６内に突出される連設部５と、この連設部５から下向きの段差部６を介してさらに前方に延設されて下面が底板１１の外表面と略面一になるよう切り欠き１６内に突出される半田付け部７とを一体に形成する。
【００３０】
本実施形態ではインサート成形により複数のコンタクト１をボディ１０に固定したが、コンタクト固定部１８の内表面に複数のコンタクト固定溝を左右方向に一定のピッチで並べて設けておき、この各コンタクト固定溝に各コンタクト１の被固定部２を圧入することにより、複数のコンタクト１をボディ１０に固定してもよい。
【００３１】
スライド部材４０は、ガイド溝１９内に載置されてカード挿抜方向に沿って前後方向に往復移動自在にボディ１０内の右側部に組み込まれる。このスライド部材４０は樹脂成形品であり、板バネ６０を保持する保持部４１と、フックピン８０の一端部を支持する支持部４２と、コイルバネ７０の前端部を支持するバネ座部６３を一体に形成する。保持部４１は前後方向に長い略直方体状に形成され、支持部４２が保持部４１の前端部よりやや後側から左側方に突出して形成され、バネ座部４３が保持部４１の前端部から右側方に突出して形成される。また、下面を各部４１，４２，４３の下面と同一面上に位置させ、スライド部材４０の前部左側の角部で各部４１，４２，４３を相互に連結する平板状の第１リブ４４と、スライド部材４０の後部左側の角部で保持部４１と支持部４２の上下略中間部を相互に連結する平板状の第２リブ４５と、上面を各部４１，４２，４３の上面と同一面上に位置させ、スライド部材４０の前部右側の角部で保持部４１とバネ座部４３を相互に連結する平板状の第３リブ４６を一体に形成する。
【００３２】
また、バネ座部４３の後側面は後側壁１４の内面右端部に対向し、このバネ座部４３の後側面に、コイルバネ７０の前端部を保持する円筒状の前ボス部４７を後ボス部２１と同軸線上で後方に突出して設ける。コイルバネ５０の後端部を後ボス部２１の外側に嵌合し、前端部を前ボス部６７の外側に嵌合して、コイルバネ５０をボディ１０内の右側部で相対する後側壁１４とバネ座部４３間に組み込み、スライド部材５０を常時前方に付勢する。さらに、支持部４２の前側面はカード挿入口１５に対向し、この支持部４２の前側面によってボディ１０内に挿入されたカードＣの段差Ｃ４を受け止め、カードＣによってスライド部材５０をコイルバネ５０の付勢力に抗してカード挿入方向（後方）に押し込むための受け止め部４８を形成する。コイルバネ５０は金属線材からなる。
【００３３】
本実施形態ではカードＣの段差Ｃ４に挿入方向に対して後退角を付けるため、この段差Ｃ４を受け止めるスライド部材５０の受け止め部４８は、段差Ｃ４に沿うよう支持部４２の先端前側の角部を斜めに落とした角落とし面よって形成される。
【００３４】
板バネ６０はスライド部材４０の保持部４１に組み付けられ、スライド部材４０と一体に移動する。このスライド部材は金属板のプレス成形品であり、厚み方向を左右方向（カード幅方向）に一致させてカード挿抜方向に沿って前後方向に延設したバネ部６１の後側がスライド部材４０の保持部４１に保持され、バネ部６０の前側（自由端側）が保持部４１の前端部から前方に突出され、この突出端部に折り曲げで左表面が凸、右表面が凹になるよう略Ｕ字状の係合部６２を設け、この係合部６２をボディ１０内に挿入されたカードＣの切り欠き部Ｃ３に係合させて、カードＣとスライド部材４０をカード挿抜方向で係合させる。
【００３５】
フックピン８０はコ字状に曲げた金属線材からなり、一端部をスライド部材４０の支持部４２に支持し、他端部をボディ１０のカム溝７２に挿入し、スライド部材４０の支持部４２とボディ１０のカム溝７２間に張り渡し、他端部をカム溝７２内でスライド部材４０の動きに合わせて移動させる。
【００３６】
上記のようにスライド部材４０、コイルバネ５０、板バネ６０、カム溝７０、フックピン８０をボディ１０内の右側部に組み付けてカード排出機構３０を構成する。このカード排出機構３０は、カードＣがボディ１０内に挿入されていない場合、スライド部材４０が図４，図５に示すカード排出方向の移動終端位置である初期位置に移動し、フックピン８０の他端部がカム溝７０の起点部７１に位置する。
【００３７】
カバー１００は、矩形状の天板１０１と、この天板１０１の左右側縁から折り曲げで垂下する左右側板１０２と、この左右側板１０２の下縁の前後２箇所から折り曲げで天板１０１と略平行に左右外方に突出する半田付け部１０３を一体に形成し、左右側板１０２にボディ１０の係合爪２１を嵌め込むための複数の係合孔１０４を設けると共に、天板１０１にこの一部を切り起こしてフックピン８０を下方に押えるための板バネである押さえ部１０５を設ける。カバー１００が本実施形態の組み立て最終工程でボディ１０に上方から被着され、天板１０１がボディ１０の開放上面を覆い、左右側板１０２が左右側壁１３の外面に重ね合わされて、係合孔１０４に係合爪２１が嵌め込まれ、カバー１００とボディ１０が一体に結合されて、カード挿入口１５が前側面の左側に片寄せられて開口されたハウジング９０が組み立てられる。また、ハウジング９０のカバー１００の押さえ部１０５でフックピン８０を下方に押え、フックピン８０の一端部をスライド部材４０の支持部４２に押し込み、他端部をカム溝７０内に押し込む。カバー１００の半田付け部１０３は、この下面がボディ１０の底板１１の外表面と略面一になる状態でハウジング９０の四隅から左右外方に突出される。
【００３８】
上記のように構成された本実施形態は、電子機器のプリント配線基板に表面実装されて、各コンタクト１の半田付け部７とカバー１００の各半田付け部１０３が基板に半田付けで固定され、接続された状態で使用される。
【００３９】
本実施形態の動作について図７〜図９を参照して説明する。図７は本実施形態にカードが挿入された場合の挿入初期の状態を示す平面図、図８は本実施形態にカードが所定位置まで押し込まれた状態を示す平面図、図９は本実施形態にカードが装着された状態を示す平面図である。図４に示す状態からカードＣをカード挿入口１５を通してハウジング９０内に挿入すると、カードＣの段差Ｃ４が板バネ６０の係合部６２を自由位置から右側に押し退けた後、スライド部材４０の受け止め部４８に当接し、これと略同時に板バネ６０の係合部６２が元の自由位置に戻ってカードＣの切り欠き部Ｃ３に嵌まり込んで係合し、図７に示すように、カードＣとスライド部材４０が板バネ６０を介してカード挿抜方向で係合される。
【００４０】
上記の挿入初期の状態からカードＣをハウジング９０内の押し込むと、受け止め部４８がカードＣの段差Ｃ４でカード挿入方向（後方）へ押圧され、スライド部材４０がコイルバネ５０の付勢力に抗してカードＣと一体に初期位置からハウジング９０内奥部へ押し込まれ、ついには、図８に示すように、カードＣはこの挿入側端部が後側壁１４の直前に位置する所定位置に押し込まれ、スライド部材５０もカード挿入方向の移動終端位置である所定位置まで押し込まれる。
【００４１】
上記の所定位置への押し込み状態で、カードＣの押し込み力を解除すると、スライド部材４０がコイルバネ５０の付勢力により所定位置からカード排出方向（前方）へ押し戻され、これに伴ってカードＣも所定位置からカード排出方向へ押し戻される。このスライド部材４０の初期位置からの一連の動作により、フックピン８０の他端部がカム溝７０の起点部７１から往路７２を通過して係止部７３に係止され、スライド部材４０が所定位置より少し手前で止まり初期位置に戻らなくなる。これにより、図９に示すように、カードＣが装着位置に保持され、カードＣの各外部接続端子Ｃ２と各コンタクト４０の接点部４が接触保持され、本実施形態に装着される。この装着状態において、電子機器とカードＣとが各コンタクト４０を通じて電気的に接続され、機器側からカードＣへの給電や両者の間での信号の送受が行える。
【００４２】
上記の装着状態において、再度カードＣの押し込みを行い、カードＣと共にスライド部材５０を所定位置へ押し込むと、このスライド部材４０の動作により、フックピン８０の他端部がカム溝７０の係止部７３から外れて起点部７１に復帰可能となり、スライド部材４０が初期位置に復帰可能になる。この後、カードＣの押し込み力を解除することにより、スライド部材４０はコイルバネ５０の付勢力により所定位置からカード排出方向へ押し戻されて初期位置へと復帰し、これに伴ってカードＣが挿入初期の位置へ排出されて、その排出位置で保持される。この挿入初期の位置まで排出されたカードＣは、カード挿入口１５からハウジング９０の前側に突出している端部を指で摘んで引っ張ることにより、板バネ６０の係合部６２がカードＣの切り欠き部Ｃ３から抜け出し、カードＣとスライド部材４０の係合か解除され、ハウジング９０内からカード挿入口１５を通して抜き去ることができる。
【００４３】
次に本実施形態のフックピン８０とこの一端を支持するスライド部材４０の支持部４２の構造について図１０〜図１３を参照して説明する。図１０は本実施形態のスライド部材を示す平面図、図１１は本実施形態のスライド部材の支持部を示す断面図、図１２は本実施形態のフックピンを示す側面図、図１３は本実施形態のフックピンをスライド部材に組み付ける作業を示す工程図である。
【００４４】
図１０，図１１に示すように、スライド部材４０の支持部４２は、この後部上面を第２リブ部４５の上面と同一平面上に位置させるよう前部上面より一段下げる段差４２ａを設けて、上段側（段差４２ａより前側にある高背の支持部４２）の前側面によってハウジング９０内に挿入されたカードＣの段差Ｃ４を受け止める受け止め部４８を形成する。下段側（段差４２ａより後側にある底背の支持部４２）には、フックピン８０の一端部８１が上方から挿入される上下貫通の垂直な円形の孔部４２ｂを形成し、この孔部４２ｂの直前で立ち上がる段差面に、下側の孔部４２ａの径内に突出されるピン抜け止め部４２ｃを形成する。このピン抜け止め部４２ｃは、下側の孔部４２ｂとの間に所定の隙間を設けるよう下側の孔部４２ｂから上方に離して形成する。また、孔部４２ｂを真上から見たときの形状が円形の一部を直線でカットしたＤ形になるよう下側の孔部４２ｂの径内に突出される。さらに、孔部４２ｂは奥側に向かって（上から下に向かって）孔径をフックピン８０の一端部の直径から漸次拡径するテーパ孔でなり、この孔部４２ｂの上側開口部（最小径部）にはピン抜け止め部４８の突出方向に拡径されたピン挿入口４２ｄを設ける。ピン挿入口４２ｄの直径は孔部４２ｂの下側開口部（最大径部）の直径より大径に形成される。ピン抜け止め部４２ｃは拡径されたピン挿入口４２ｄの直径と略同じ幅に形成される。また、段差面には、ピン抜け止め部４２ｃの両側から略直角に立ち上がり、下側の孔部４２ｂの径方向で相対する一対の挿入ガイド壁４２ｅを形成する。
【００４５】
図１２に示すように、フックピン８０は、コ字状に曲げた金属線材からなり、孔部４２に挿入される一端部８１と、前記カム溝７０内に挿入される他端部８２と、前記一端部８１と前記他端部８２を平行に繋ぐ中間部８３を有し、前記中間部８２に対する前記一端部８１と前記他端部８２の曲げ角度θ１，θ２が直角より大きい角度（鈍角）になるよう、前記中間部８３はこの軸方向中央部を両端部より所定寸法ｈ盛り上げるよう曲げる。
【００４６】
フックピン８０をスライド部材４０に組み付けるには、図１３の（Ａ）に示すように、一端部８１を一対の挿入ガイド壁４２ｅ間にピン抜け止め部４２ｃの突出方向の後方に傾けた状態で位置させて、一端部８１の下端を孔部４２ｂのピン挿入口４２ｄに臨ませ、この状態で、中間部８３の前部を上方から押圧し、一端部８１の孔部４２ｂへの挿入を開始し、図１３の（Ｂ）から（Ｃ）へと挿入を進め、図１３の（Ｄ）に示すように、一端部８１を孔部４２ｂに完全に挿入して支持部４０に支させることで完了する。
【００４７】
この際、一端部８１がピン挿入口４２ｄを通過した図１３の（Ｂ）の時点で、一端部８１の直線部がピン抜け止め部４２ｃに引っ掛かり、干渉が生じる。ここで、フックピン８０をさらに押圧すると、図１３の（Ｃ）に示すように、一端部８１の直線部がピン抜け止め部４２ｃを通過し、干渉がなくなり、その後、図１３の（Ｃ）に示すように、一端部８１が孔部４２ｂに完全に挿入される。このように、一端部８１を孔部４２ｂに挿入する際には圧入が必要になる。また、一端部８１の左右方向への倒伏が一対の挿入ガイド壁４２ｅによって規制されると共に、中間部８３が第２リブ４５の後端部に当接支持されるので、フックピン８０の横倒を防止して安定した挿入姿勢で一端部８１を孔部４２ｂに挿入することができると共に、中間部８３の第２リブ４５への当接によりこの当接部を支点にフックピン８０を回動させながら一端部８１を孔部４２ｂに挿入することができる。このため、フックピン８０をスライド部材４０に組み付け易く、作業性が良い。
【００４８】
スライド部材４０に組み付けられたフックピン８０は、一端部８１の直線部の直ぐ上側の曲がり部にピン抜け止め部４２ｃの下端部が当接するため、このピン抜け止め部４２ｃによって一端部８１の上方（抜け方向）への動きが規制され、スライド部材４０の支持部４２から抜け落ち難くなる。また、中間部８３は支持部４２に支持された一端部８１から第２リブ４５の上側で後方に延設され、他端部８３がスライド部材４０の後端（保持部４１の後端）よりさらに後側で垂下される。これら中間部８３と他端部８１は支持部４２に支持された一端部８１を中心に左右方向に一体的に揺動することができる。
【００４９】
次に本実施形態の板バネ６０とこれを保持するスライド部材４０の保持部４１の構造について図１０，図１４〜図１６を参照して説明する。図１４は本実施形態のスライド部材の保持部を示す断面図、図１５は本実施形態の板バネを示す（Ａ）平面図，（Ｂ）側面図、図１６は本実施形態の板バネをスライド部材に組み付ける作業を示す工程図である。
【００５０】
図１５に示すように、板バネ６０は、金属板のプレス成形品であり、厚み方向を左右方向（カード幅方向）に一致させてカード挿抜方向に沿って前後方向に延設したバネ部６１と、このバネ部６１の前端部（自由端部）に折り曲げで設けられた左表面が凸、右表面が凹になる略Ｕ字状の係合部６２と、バネ部６１から後側に延設されて面一に連設された被固定部６３を一体に形成する。この被固定部６３は、下側縁に切り欠き部６４を設け、上側縁から折り曲げで左側方に略直角に突出する押圧部６５を設ける。また、被固定部６３は支点部６６を有し、この支点部６６が、被固定部６３の先端部６７と、この先端部６７の端縁と切り欠き部６４を設けた下側縁を円弧状に繋ぐ摺接部６８と、先端部６７の上側縁を一段下げる切り欠き部６９を設ける。
【００５１】
図１０，図１４に示すように、スライド部材４０の保持部４１は、保持部４１の上面に保持部４１の前端から後端にわたってスリット状の保持溝４１ａを設ける。この保持溝４１ａは、溝深を板バネ６０の幅と略同じに形成すると共に、溝幅を板バネ６０の被固定部６３を挿入する後半部は板バネ６０の厚みと略同じに形成し、板バネ６０のバネ部６１を挿入する前半部は前方に向かって漸次拡大形成してバネ部６１の左右方向（厚み方向）の撓み変形を許容する。また、後半部の保持溝４１ａ内にはこの部分の溝底から上向きに突出し、被固定部６３に設けた切り欠き部６４を嵌合させる突部４１ｂを設ける。さらに、保持溝４１ａは受け部４１ｃを有し、この受け部４１ｃが、突部４１ｂより奥側（後側）に延設される保持溝４１ａの先端部（一部）４１ｄと、この先端部４１ｄの上部に溝入り口を閉じるように形成される押さえ部４１ｅを設ける。保持部４１の上面には板バネ６０の押圧部６５を嵌め込む切り欠き部４１ｆが設けられる。
【００５２】
板バネ６０をスライド部材４０に組み付けるには、図１６の（Ａ）に示すように、支点部６６を受け部４１ｃ内に上方から斜めに挿入し、支点部６６の摺接部６８を受け部４１ｃの溝底に接触させた状態で、押圧部６５を上方から押圧し、板バネ６０を支点部６６を支点に下方に回動させることにより、図１６の（Ｂ）（Ｃ）に示すように、板バネ６０の支点部６６に近い部分から遠い部分すなわち被固定部６３からバネ部６１を漸次保持溝４１ａ内に挿入しながら、被固定部６３の切り欠き部６４を保持溝４１ａ内の突部４１ｂに嵌合させ、図１６の（Ｃ）に示すように、板バネ６０の被固定部６３からバネ部６１（ただし、係合部６２を形成する前端部は除く）を完全に挿入し、板バネ６０の被固定部６３を保持部４１に固定させることで完了する。この際、支点部６６を支点に板バネ６０を回動させながら、被固定部６３はこの厚みと略同じ溝幅の保持溝４１ａの後半部に圧入しながら、被固定部６３の切り欠き部６４を保持溝４１ａ内の突部４１ｂに嵌合させることができると共に、バネ部６１はこの厚みより大きい溝幅の保持溝４１ａの前半部に挿入に挿入することができる。このため、板バネ６０をスライド部材４０に組み付け易く、作業性が良い。
【００５３】
スライド部材４０に組み付けられた板バネ６０は、厚み方向を左右方向（カード幅方向）に一致させてカード挿抜方向に沿って前後方向に延設されたバネ部６１の後側の被固定部６３が保持溝４１ａの後半部で固定保持され、バネ部６１が保持溝４１ａの前半部の中で左右方向に撓み変形可能に挿入され、バネ部６０の前側に設けられた係合部６２が保持部４１の前端部から前方に突出支持される。
【００５４】
本実施形態の組み立ては、フックピン８０の一端部８１を支持部４２に支持させ、板バネ６０を保持部４１に保持させ、さらに、コイルバネ５０の前端部を前ボス部６７の外側に嵌合してバネ座部４３に保持させたスライド部材４０を、複数のコンタクト１を固定したボディ１０内に組み込んだ後、カバー１００をボディ１０に被着することで完了する。スライド部材４０をボディ１０内に組み込む際、コイルバネ５０の後端部を後ボス部２０の外側に嵌合して、コイルバネ５０をボディ１０内の右側部で相対する後側壁１４とバネ座部４３間に組み込み、さらに、フックピン８０の他端部８２をボディ１０側に設けられたカム溝７０内に挿入するのであるが、図２，図３に示すように、カム溝７０の前側に設けた起点部７１の前端部を、カム溝７０の前側にあり、スライド部材４０を載置するガイド溝１９に開放しておくことにより、コイルバネ５０の後端端の後ボス部２０への嵌合方向とフックピン８０の他端部８２のカム溝７０内への挿入方向を一致させることができるので、スライド部材４０をボディ１０内に組み込み易く、作業性が良い。  
【００５５】
また、フックピン８０，板バネ６０，コイルバネ５０はスライド部材４０の支持部４２，保持部４１，バネ座部４３に完全に独立して保持させれるので、これらのスライド部材４０への組み付け順序を自由に設定することができる。例えば板バネ６０を組み付けた後に，フックピン８０やコイルバネ５０を組み付けることで、フックピン８０やコイルバネ５０を板バネ６０より先に組み付ける場合に比べ、それぞれがスライド部材４０に組み付け易く、作業性が良い。
【００５６】
ところで、図２，図４〜図９に示すように、本実施形態では絶縁性（樹脂製）のボディ１０とでハウジング１を構成する導電性（金属製）のカバー３０が、カードＣの挿入ガイド部１０６を有する。図１７は本実施形態のカバーの挿入ガイド部を拡大して示す正面図、図１８は本実施形態のカバーの挿入ガイド部を拡大して示す底面図である。
【００５７】
図２，図４〜図９，図１７，図１８に示すように、挿入ガイド部１０６は、カバー１００の前側縁から折り曲げでボディ１０の前側壁１２の外面側に垂下される第１折り曲げ片１０７と、この第１折り曲げ片１０７の左側縁から折り曲げで前側壁１２の側端面に沿って後方に延設されるすなわちカード挿入方向に沿ってハウジング９０内に延設される第２折り曲げ片１０８を設ける。
【００５８】
カバー１００のボディ１０への被着によって、第１折り曲げ片１０７及び第２折り曲げ片１０８が前側壁１２の外面側から連続して側端面を覆い、カードＣをカード挿入口１５を通してハウジング９０内に挿入する際のカードＣの段差がある右側部の接触衝撃から前側壁１２を保護すると共に、第２折り曲げ片１０８の基端側曲げ部によって、カード挿入口１５の右側縁に位置し、カードＣを摺接させてカード挿入口１５内に案内する金属製で円弧状の挿入ガイド面１０９を形成し、第２折り曲げ片１０８の先端部によって、円弧状の挿入ガイド面１０９から連続してカード挿入口１５の右側縁に位置し、カードＣを摺接させてハウジング９０内に案内する金属製で直線状の挿入ガイド面１１０を形成する。第１折り曲げ片１０７はこの外面が前側壁１２の外面と同一面上に位置するよう前側壁１２に設けられた切り欠き部２２で前側壁１２の外面に重ね合わされる。
【００５９】
金属製のカバー１００の一部で各挿入ガイド面１０９，１１０を形成するので、例えば、前側壁１２の外面と側端面との角部を斜めに落として前側壁１２の側端部（樹脂製のボディ１０の一部）で各挿入ガイド面１０９，１１０を形成する場合に比べ、前側壁１２の厚み（樹脂肉厚）を薄くすることができ、カードコネクタの小型化に貢献することができる。
【００６０】
上記の本実施形態は、カム溝７０を有するハウジング９０内に収納され、カード挿抜方向に沿って移動自在としたスライド部材４０と、一端部８１を前記スライド部材４０に支持して他端部８２は前記カム溝７０内を前記スライド部材４０の動きに合わせて移動させるコ字状のピン部材８０とを備えるカードコネクタにおいて、前記スライド部材４０が前記ピン部材８０の支持部４２を有し、この支持部４２が段差４２ａを設けて、下段側に前記ピン部材８０の一端部８１が上方から挿入される孔部４２ｂを形成し、段差面には前記孔部４２ｂを真上から見たとき下側の前記孔部４２ｂの径内に突出されるピン抜け止め部４２ｃを形成する構成とした。これにより、ピン部材８０の一端部８１を孔部４２ｂに挿入する際に若干圧入が必要になり、ピン部材８０の一端部８１が孔部４２ｂに挿入された時点でピン抜け止め部４２ｃが抜け方向の動きを規制するので、ピン部材８０がスライド部材４０から抜け落ち難くなり、以降の組み立て作業が行い易く、カードコネクタの生産性を向上することができる。
【００６１】
また、前記支持部４２が上段側の側面によって前記ハウジング９０内に挿入されたカードＣを受け止める構成とした。これにより、スライド部材４０の支持部４２に生じる荷重（ピン部材８０の移動抵抗）をカードＣによって受け止めるので、支持部４２の耐久性を向上させることができる。また、支持部４２の必要強度を下げることができ、支持部４２をより小形に形成して、カードコネクタの小型化に貢献することができる。
【００６２】
また、前記孔部４２ｂが奥側に向かって孔径を漸次拡径するテーパ孔でなる構成とし、前記孔部４２ｂが前記ピン抜け止め部４２ｃの突出方向に拡径されたピン挿入口４２ｄを設ける構成とした。これにより、ピン部材８０の一端部８１をピン抜け止め部４２ｃの突出方向に傾けた状態で孔部４２ｂに挿入することができるので、挿入時にピン部材８０の一端部８１でピン抜け止め部４２ｃを押し潰し、抜け止め機能を低下させたり、消失させるのを防止することができる。また、ピン抜け止め部４２ｃの突出量をより大きくして、より高い抜け止め性能を得ることができるようになる。
【００６３】
また、前記ピン部材８０はコ字状に曲げた金属線材からなり、前記孔部４２ｂに挿入される一端部８１と、前記カム溝７０内に挿入される他端部８２と、前記一端部８１と前記他端部８２を平行に繋ぐ中間部８３を有し、前記中間部８３に対する前記一端部８１と前記他端部８２の曲げ角度θ１，θ２が直角より大きい角度になるよう、前記中間部８３を曲げた構成とした。これにより、中間部が一直線状で、この中間部に対する一端部と他端部の曲げ角度が直角になるピン部材に比べ、中間部８３に対する一端部８１と他端部８２の曲げ角度θ１，θ２が大きくなり、また、中間部８３と一端部８１の間の曲り部の曲率が大きくなってピン抜け止め部４２ｃを同じ突出量で孔部４２ｂからより離反した位置に設けることもできるので、ピン部材８０の一端部８１が孔部４２ｂにより挿入し易くなる。このため、ピン抜け止め部４２ｃの抜け止め機能の低下や消失をより確実に防止することができる。また、ピン抜け止め部４２ｃの突出量をより大きくして、より高い抜け止め性能を得ることができる。
【００６４】
さらに、前記ハウジング９０内に挿入されたカードＣと前記スライド部材４０をカード挿抜方向で係合させる係合部材６０を備え、この係合部材６０が、厚み方向をカード挿抜方向と直交するカード幅方向に一致させてカード挿抜方向に延設したバネ部６１と、このバネ部６１の一端側に形成され、前記カードＣの一側部に設けられた切り欠き部Ｃ３に離脱自在に係合させる係合部６２と、前記バネ部６１の他端側に連設された被保持部６３を設け、この被保持部６３の一側縁に切り欠き部６４を形成し、前記スライド部材４０が前記係合部材６０の保持部４１を有し、この保持部４１が前記被保持部６３を挿入自在とし、かつ、一端側から前記バネ部６１を突出自在としたスリット状の保持溝４１ａを設け、この保持溝４１ａ内に溝底から突出し、前記切り欠き部６４に嵌合させる突部４１ｂを形成する構成とした。これにより、係合部材６０の被保持部６３をスライド部材４０の保持部４１に固定するにあたり、被固定部６３を圧入しないのでスライド部材４０に圧入代の必要がなく、また、被保持部６３の折り曲げで行う必要もなく、被保持部６３の形状が立体化しないので、スライド部材４０をより小形に形成して、カードコネクタの小型化に貢献することができる。また、平板状の被保持部６３をスリット状の保持溝４１ａに挿入する簡単な作業で、係合部材６０をスライド部材４０に組み付けることができ、カードコネクタの生産性を向上させることができる。しかも、簡単な組み付け作業で係合部材６０をスライド部材４０に確実に固定することができる。
【００６５】
また、前記被保持部６３が支点部６６を有し、この支点部６６が、前記被保持部６３の先端部６７と、この先端部６７の端縁と前記切り欠き部６４を形成した一側縁を円弧状に繋ぐ摺接部６８を設け、前記保持溝４１ａが受け部４１ｃを有し、この受け部４１ｃが、前記突部４１ｂより奥側に延設される前記保持溝４１ａの一部４１ｄと、この保持溝４１ａの一部４１ｄの上部に形成される押さえ部４１ｅを設け、前記支点部６６を前記受け部４１ｃに斜めに挿入し、前記摺接部６８を前記受け部４１ｃの溝底に接触させた状態で、前記支点部６６を支点に前記係合部材６０を前記スライド部材方向に回動させることにより、前記保持溝４１ａ内に前記被保持部６３を挿入しながら前記突部４１ｂに前記被保持部６３の前記切り欠き部６４を嵌合させる構成とした。これにより、係合部材６０を支点部６６を支点にスライド部材方向に回動させるというより簡単な作業でスライド部材４０に組み付けることができ、カードコネクタの生産性をより向上させることができる。
【００６６】
さらに、前記ハウジング９０は、複数のコンタクト１が設けられた絶縁性のボディ１０と、金属板のプレス成形品であって、前記ボディ１０に被着されるカバー１００を備え、一側面にカード挿入口１５を開口し、カードＣを前記カード挿入口１５を通して挿抜自在とした箱状に形成され、前記カバー１００が、前記カードＣの挿入ガイド部１０６を有し、この挿入ガイド部１０６は、前記カバー１０の側縁から折り曲げで前記スライド部材４０に近い側の前記カード挿入口１５の一側に垂下される第１折り曲げ片１０７と、この第１折り曲げ片１０７の前記カード挿入口側の一側縁から折り曲げでカード挿入方向に沿って前記ハウジング９０内に延設される第２折り曲げ片１０８を設け、この第２折り曲げ片１０８の基端側曲げ部によって前記カードＣを前記カード挿入口１５内に案内する金属製で円弧状の挿入ガイド面１０９を形成し、前記第２折り曲げ片１０８の先端部によって前記カードＣをハウジング９０内に案内する金属製で直線状の挿入ガイド面１１０を形成する構成とした。これにより、各挿入ガイド面１０９，１１０をボディ１０の一部１２で形成する場合に比べ、その一部１２の厚み（樹脂肉厚）を薄くすることができ、カードコネクタの小型化に貢献することができる。
【００６７】
以上、本実施形態は本発明に係るカードコネクタの一実施の形態を示したが、本発明はそれに限定されることなく、その要旨を逸脱しない範囲内で種々変形実施することができる。
【図面の簡単な説明】
【００６８】
【図１】本発明のカードコネクタに係る一実施の形態に装着されるカードを示す平面図である。
【図２】本発明のカードコネクタに係る一実施の形態の構成部品を示す分解状態の斜視図である。
【図３】本発明のカードコネクタに係る一実施の形態のボディを示す平面図である。
【図４】本発明のカードコネクタに係る一実施の形態の内部構造を示す平面図である。
【図５】図４の右半部を拡大して示す平面図である。
【図６】本発明のカードコネクタに係る一実施の形態の外観を示す斜視図である。
【図７】本発明のカードコネクタに係る一実施の形態にカードが挿入された場合の挿入初期の状態を示す平面図である。
【図８】本発明のカードコネクタに係る一実施の形態にカードが所定位置まで押し込まれた状態を示す平面図である。
【図９】本発明のカードコネクタに係る一実施の形態にカードが装着された状態を示す平面図である。
【図１０】本発明のカードコネクタに係る一実施の形態のスライド部材を示す平面図である。
【図１１】本発明のカードコネクタに係る一実施の形態のスライド部材の支持部を示す断面図である。
【図１２】本発明のカードコネクタに係る一実施の形態のフックピンを示す側面図である。
【図１３】本発明のカードコネクタに係る一実施の形態のフックピンをスライド部材に組み付ける作業を示す工程図である。
【図１４】本発明のカードコネクタに係る一実施の形態のスライド部材の保持部を示す断面図である。
【図１５】本発明のカードコネクタに係る一実施の形態の板バネを示す（Ａ）平面図，（Ｂ）側面図である。
【図１６】本発明のカードコネクタに係る一実施の形態の板バネをスライド部材に組み付ける作業を示す工程図である。
【図１７】本発明のカードコネクタに係る一実施の形態のカバーの挿入ガイド部を拡大して示す正面図である。
【図１８】本発明のカードコネクタに係る一実施の形態のカバーの挿入ガイド部を拡大して示す底面図である。
【符号の説明】
【００６９】
１  コンタクト
１０  ボディ
１５  カード挿入口
４０  スライド部材
４１  保持部
４１ａ  保持溝
４１ｂ  突部
４１ｃ  受け部
４１ｄ  保持溝の一部
４１ｅ  押さえ部
４２  支持部
４２ａ  段差
４２ｂ  孔部
４２ｃ  ピン抜け止め部
４２ｄ  ピン挿入口
４８  受け止め部
６０  板バネ（係合部材）
６１  バネ部
６２  係合部
６３  被保持部
６４  切り欠き部
６６  支点部
６７  被保持部の先端部
６８  摺接部
６９  切り欠き部
７０  カム溝
８０  フックピン（ピン部材）
８１  一端部
８２  他端部
８３  中間部
θ１，θ２  曲げ角度
９０  ハウジング
１００  カバー
１０６  挿入ガイド部
１０７  第１折り曲げ片
１０８  第２折り曲げ片
１０９  挿入ガイド面
１１０  挿入ガイド面
Ｃ  カード
Ｃ３  切り欠き部
【図１】
0004940074.tif 000002
【図２】
0004940074.tif 000003
【図３】
0004940074.tif 000004
【図４】
0004940074.tif 000005
【図５】
0004940074.tif 000006
【図６】
0004940074.tif 000007
【図７】
0004940074.tif 000008
【図８】
0004940074.tif 000009
【図９】
0004940074.tif 000010
【図１０】
0004940074.tif 000011
【図１１】
0004940074.tif 000012
【図１２】
0004940074.tif 000013
【図１３】
0004940074.tif 000014
【図１４】
0004940074.tif 000015
【図１５】
0004940074.tif 000016
【図１６】
0004940074.tif 000017
【図１７】
0004940074.tif 000018
【図１８】
0004940074.tif 000019